(57)【要約】【課題】小型化可能な電気掃除機を提供する。【解決手段】電気掃除機１は、掃除機本体２と、コードリール装置５と、走行輪８と、を備える。コードリール装置５は、掃除機本体２の走行方向に対して交差する方向に沿って回動軸線Ａを有して掃除機本体２に回動可能に収容され、電源コードが巻回される。走行輪８は、コードリール装置５を挟んで掃除機本体２の両側に回転自在に支持される。一方の走行輪８は、掃除機本体２の走行方向に見てコードリール装置５に対して回動軸線Ａ方向に少なくとも一部が重なって配置されている。【選択図】図１
2020044294.tif 000002
【特許請求の範囲】
【請求項１】
掃除機本体と、
前記掃除機本体の走行方向に対して交差する方向に沿って回動軸線を有して前記掃除機本体に回動可能に収容され、電源コードが巻回されるコードリール装置と、
前記コードリール装置を挟んで前記掃除機本体の両側に回転自在に支持された走行輪と、を備え、
一方の前記走行輪は、前記掃除機本体の走行方向に見て前記コードリール装置に対して前記回動軸線方向に少なくとも一部が重なって配置されている
ことを特徴とする電気掃除機。
【請求項２】
前記コードリール装置は、
前記電源コードが巻回されるリール本体部と、
前記リール本体部に対し前記掃除機本体の外郭に近接する側に段差状に突出する突出部と、を備え、
前記一方の走行輪は、前記リール本体部と前記突出部との段差により生じる空間部に配置される
ことを特徴とする請求項１記載の電気掃除機。
【請求項３】
前記一方の走行輪は、前記掃除機本体の走行方向に見て前記コードリール装置に対して前記回動軸線方向に全部が重なって配置されている
ことを特徴とする請求項１又は２記載の電気掃除機。
【請求項４】
前記一方の走行輪は、前記コードリール装置の回動軸線方向に見て前記コードリール装置に対して少なくとも一部が重なって配置されている
ことを特徴とする請求項１ないし３いずれか一記載の電気掃除機。
【請求項５】
前記掃除機本体は、前記コードリール装置の外形に沿って湾曲する曲面部を有し、
前記走行輪は、前記曲面部よりも外側の位置で前記掃除機本体に支持される
ことを特徴とする請求項１ないし４いずれか一記載の電気掃除機。
【発明の詳細な説明】
【技術分野】
【０００１】
本発明の実施形態は、電源コードが巻回されるコードリール装置を備えた電気掃除機に関する。
【背景技術】
【０００２】
商用電源からの給電により動作するコード式の電気掃除機は、商用電源と接続される電源コードを巻回したコードリール装置を掃除機本体に備えている。掃除機本体の内部には、容積が大きい構造物として、コードリール装置の他に、電動送風機が収容されるため、掃除機本体の内部スペースを有効利用するレイアウトとして、コードリール装置と電動送風機とは幅方向に並置するレイアウトが多く採用されている。この場合、掃除機本体の走行用の走行輪を掃除機本体の両側に配置すると、掃除機本体の幅方向には、少なくとも、一方の走行輪、コードリール装置、電動送風機、他方の走行輪、と並ぶだけの幅が必要となっていた。
【先行技術文献】
【特許文献】
【０００３】
【特許文献１】特開２０１４−２１８３２２号公報
【発明の概要】
【発明が解決しようとする課題】
【０００４】
本発明が解決しようとする課題は、小型化可能な電気掃除機を提供することである。
【課題を解決するための手段】
【０００５】
実施形態の電気掃除機は、掃除機本体と、コードリール装置と、走行輪と、を備える。コードリール装置は、掃除機本体の走行方向に対して交差する方向に沿って回動軸線を有して掃除機本体に回動可能に収容され、電源コードが巻回される。走行輪は、コードリール装置を挟んで掃除機本体の両側に回転自在に支持される。一方の走行輪は、掃除機本体の走行方向から見てコードリール装置に対して回動軸線方向に少なくとも一部が重なって配置されている。
【図面の簡単な説明】
【０００６】
【図１】一実施形態の電気掃除機の掃除機本体の一部を走行方向の後方側から示す側面図である。
【図２】同上掃除機本体の一部を走行方向と交差する幅方向の一方側から示す側面図である。
【図３】同上電気掃除機を示す斜視図である。
【発明を実施するための形態】
【０００７】
以下、一実施形態について、図面を参照して説明する。
【０００８】
図３において、１は電気掃除機である。電気掃除機１は、本実施形態において、ユーザが床面上を走行させて移動させ、床面上の塵埃を掃除する床面を掃除する、キャニスタ型の電気掃除機である。以下、本実施形態において、走行方向の前後方向、左右方向及び上下方向は、キャニスタ型の電気掃除機１を床面等の平面に載置した状態を基準として説明する。図２及び図３において、走行方向の前方側を矢印FRで示し、走行方向の後方側を矢印RRで示す。また、図１及び図３において、左方向を矢印Ｌで示し、右方向を矢印Ｒで示す。
【０００９】
電気掃除機１は、掃除機本体２を備えている。掃除機本体２は、外殻をなすケース体３を備え、ケース体３の内部に、吸引源となる電動送風機４、電動送風機４を制御する制御部、及び、これら電動送風機４や制御部に電源を供給する電源部であるコードリール装置５等が収容されて構成されている。ケース体３は、例えば合成樹脂製の複数のケース部材を組み合わせて形成されている。また、掃除機本体２には、掃除機本体２を走行面である床面上で走行させる走行手段６が設けられている。走行手段６は、本実施形態では、図１に示すように、掃除機本体２の走行方向の前方側に位置する前車輪７と、掃除機本体２の走行方向の後方側に位置する後車輪である走行輪８と、を備えているが、これに限られず、その他の任意の車輪等を備えていてもよい。さらに、掃除機本体２は、電動送風機４の吸込側と連通する吸込口９を備えている。吸込口９には、本実施形態において、風路体10が着脱可能に接続される。風路体10は、吸込風路を形成するものである。風路体10は、例えば、ホース体、延長管、及び、吸込口体を備えている。また、風路体10は、ユーザが把持操作する操作部を備えている。操作部には、電気掃除機１の起動及び停止を設定する設定手段が配置されている。また、電気掃除機１は、電動送風機４(図３)の吸込側と吸込口９との間に介在される集塵部12を備えている。集塵部12は、本実施形態において、掃除機本体２に着脱可能な集塵カップとするが、これに限られず、掃除機本体２に内蔵された集塵装置や、掃除機本体２の集塵室に着脱可能な紙パック等のフィルタとしてもよい。そして、ユーザは、掃除機本体２を走行手段６により床面上で走行させ、風路体10を介して吸込口９から集塵部12へと塵埃を空気とともに吸い込み、塵埃を集塵部12に分離集積して空気を排気することで、電気掃除機１により掃除を行う。
【００１０】
図２及び図３に示すように、電動送風機４は、本実施形態において、掃除機本体２の前後方向に対して交差する左右方向、すなわち幅方向の一方側に配置されている。また、コードリール装置５は、本実施形態において、掃除機本体２の幅方向の他方側に配置されている。つまり、電動送風機４とコードリール装置５とは、掃除機本体２の幅方向に並んで配置されている。以下、図示されるように、走行方向に見て、幅方向の一方側を右側(矢印Ｒ方向)、幅方向の他方側を左側(矢印Ｌ方向)として説明するが、これらは左右逆でも構わず、この場合には以下の説明の左右方向は逆となるものとする。また、電動送風機４は、中心軸を上下方向に沿わせて配置されていてもよいし、中心軸を前後方向に沿わせて配置されていてもよい。
【００１１】
図１及び図２に示すように、コードリール装置５は、掃除機本体２に対して回動可能なドラム部14を備える。ドラム部14は、電源コード15が巻回されるリール本体部16を備える。また、ドラム部14は、リール本体部16に連なって位置する突出部17を備える。さらに、本実施形態のコードリール装置５は、ドラム部14の回動を阻止するストッパ部18を備えている。コードリール装置５は、掃除機本体２の走行方向である前後方向に対し交差する左右方向、すなわち幅方向にリール本体部16の回動軸線Ａを沿わせた状態で掃除機本体２に収容されている。
【００１２】
電源コード15は、先端部にプラグ部20が形成され、プラグ部20が掃除機本体２に設けられた導出口21から掃除機本体２の外部に導出されている。プラグ部20は、壁面等のコンセントに接続されることで、商用電源と電気的に接続される。
【００１３】
リール本体部16は、胴体部22と、胴体部22の両端部に配置された端板部23と、を有するボビン状に形成されている。胴体部22は、円筒状に形成されており、外周に電源コード15が巻回される。また、胴体部22には、電源コード15の基端部が内挿されて固定されている。胴体部22の内部には、電源コード15と電気的に接続された接点部が配置されている。接点部は、例えばスリップリング等が用いられ、ドラム部14の回動位置に拘らず電気的接続を維持して電源コード15により商用電源からの電力を電動送風機４や制御部等の電動部へと出力するようになっている。端板部23は、胴体部22に巻回される電源コード15の幅を規制するものである。端板部23は、胴体部22の径寸法よりも大きい径寸法を有する円形状に形成されている。端板部23は、コードリール装置５及びリール本体部16の最大径となっている。端板部23は、それぞれ胴体部22と同軸状に配置されている。本実施形態では、端板部23は、掃除機本体２の走行方向の後方側、及び、床面に対向する下部において、外周部25がケース体３に近接して位置している。また、ケース体３の走行方向の後方側及び床面に対向する下部に亘り、コードリール装置５の外形である端板部23の外周部25に沿って湾曲する曲面部27が形成されている。本実施形態において、曲面部27は、掃除機本体２を走行方向に対して交差する側方に見て、端板部23の外周部25と同心又は略同心の円弧に沿って湾曲した湾曲面である。なお、曲面部27とは、面状のものに限られるものではなく、凹凸等の構造を有するものでもよい。
【００１４】
突出部17は、リール本体部16に対し軸方向に隣接して一体的に配置されている。突出部17は、本実施形態において、左側の端板部23に連なって形成されている。突出部17は、リール本体部16と同軸又は略同軸に配置されている。すなわち、突出部17は、リール本体部16に対し、電動送風機４とは反対側に位置している。従って、突出部17は、掃除機本体２の幅方向において、リール本体部16よりも掃除機本体２の外殻をなすケース体３に近接して位置している。つまり、ケース体３には、コードリール装置５の突出部17に近接して対向する左側の側面部29が形成されている。該側面部29は、例えば突出部17の端部に沿って平面状に形成されている。なお、ケース体３には、左側の側面部29と幅方向に対称又は略対称な位置に右側の側面部29が形成されている。
【００１５】
また、突出部17は、リール本体部16の最大径よりも小さい径寸法を有する円筒状に形成されている。つまり、突出部17は、リール本体部16に対して段差状に突出している。従って、突出部17の周囲には、突出部17とリール本体部16との段差(最大径寸法の相違)により空間部Ｓが形成される。さらに、本実施形態において、突出部17の中心部には、付勢手段が収容される収容部30が形成されている。収容部30は、例えば突出部17と同軸又は略同軸の円筒状に形成されている。付勢手段としては、例えばぜんまいが用いられる。付勢手段は、電源コード15の引き出しに従いドラム部14が回動することで付勢力が蓄えられ、ドラム部14を電源コード15の巻き取り方向に付勢可能となる。
【００１６】
ストッパ部18は、付勢手段による付勢に抗してドラム部14の回動を停止する。ストッパ部18は、可動的に設けられたストッパ本体部33と、ストッパ本体部33を動作させるリール操作部である巻き取りスイッチ34とを備える。
【００１７】
ストッパ本体部33は、掃除機本体２のケース体３の内部に回動可能に支持されている。ストッパ本体部33は、回動軸の一端側に延びるブレーキ部35を備える。ブレーキ部35は、先端部がドラム部14に対して接触することで、ドラム部14の回動を阻止可能である。本実施形態のブレーキ部35は、ドラム部14において、突出部17の上方に配置され、突出部17の外周部である接触部36と接触可能となっている。なお、例えばブレーキ部35に爪部を設け、接触部36に爪部が係合可能な受け部をドラム部14の回動方向に複数設けて、爪部といずれかの受け部との係合によりドラム部14の回動を各位置で阻止するように構成してもよい。
【００１８】
巻き取りスイッチ34は、例えばユーザが手動操作するスイッチである。本実施形態の巻き取りスイッチ34は、ストッパ本体部33を回動させ、ブレーキ部35を接触部36から離間させることで付勢手段の付勢力を開放するように配置されている。巻き取りスイッチ34は、例えば掃除機本体２のケース体３の上部に位置し、ユーザにより押下されるようになっている。
【００１９】
なお、本実施形態のコードリール装置５は、付勢手段の付勢力を利用してドラム部14を回動させるものとしたが、これに限られず、例えばモータ等の駆動手段によりドラム部14を回動させるものとしてもよい。この場合、上記の付勢手段やストッパ部18は不要となるとともに、巻き取りスイッチ34は、駆動手段を駆動させるための電気的なスイッチとしてもよい。また、この場合、突出部17は、付勢手段の収容部30を備えるものやストッパ部18とともにドラム部14の回動規制手段として利用されるもの以外でも、コードリール装置５の任意の構成を配置又は収納する機能部として利用されるものでよい。
【００２０】
走行手段６の前車輪７は、集塵部12の下方に配置され、コードリール装置５及び電動送風機４よりも前方側に位置している。また、前車輪７は、本実施形態において、例えば旋回輪となっているが、これに限られず、固定輪であってもよい。
【００２１】
走行手段６の走行輪８は、前車輪７よりも後方側に位置している。走行輪８は、前車輪７よりも径寸法が大きく設定されている。また、走行輪８は、掃除機本体２の幅方向両側に配置されている。各走行輪８は、掃除機本体２の走行方向に見て、各側面部29に対して幅方向の中心部側に位置している。つまり、各走行輪８は、各側面部29に対して幅方向に突出しない位置となっている。
【００２２】
右側の走行輪８は、図１に示すように、掃除機本体２の走行方向に見て、電動送風機４に対して右側に配置されている。
【００２３】
また、左側の走行輪８は、掃除機本体２の走行方向に見て、コードリール装置５に対して回動軸線Ａ方向である幅方向に重なる位置に配置されている。該走行輪８は、左側の端板部23に対して胴体部22とは反対側である左側、かつ、該端板部23と隣接する突出部17に対して走行方向の後方側に配置されている。好ましくは、走行輪８の厚みは、突出部17のリール本体部16からの回動軸線Ａ方向の突出分よりも小さく設定されている。つまり、該走行輪８は、好ましくはコードリール装置５の幅内、さらに好ましくは突出部17の幅内に全体が位置している。
【００２４】
さらに、左側の走行輪８は、好ましくは、図２に示すように、コードリール装置５の回動軸線Ａ方向に見てコードリール装置５に対して一部が重なる位置に配置されている。つまり、該走行輪８は、好ましくは、コードリール装置５の回動軸線Ａ方向に見て、コードリール装置５の最大の外形である端板部23の外周部25よりも内側に少なくとも一部が位置している。図示される例では、該走行輪８は、コードリール装置５のドラム部14の突出部17の周囲の空間部Ｓに一部が配置されている。
【００２５】
また、各走行輪８は、回転軸が同軸上又は略同軸上に配置されている。さらに好ましくは、各走行輪８は、掃除機本体２の幅方向に対称又は略対称に配置されている。また、各走行輪８は、さらに好ましくは掃除機本体２のケース体３の曲面部27よりも外側の位置で掃除機本体２のケース体３に支持される。例えば、図２の例では、掃除機本体２には、曲面部27に対して外側に突出する軸受部38が設けられ、軸受部38において曲面部27より外側に突出する位置に走行輪８の回転軸39が支持されている。軸受部38は、好ましくは曲面部27に対し下方に突出し、後方側に突出しないように形成されている。また、各走行輪８は、回転軸39が幅方向に対して斜め方向に傾斜していてもよい。
【００２６】
このように、掃除機本体２の幅方向においてコードリール装置５と同側に位置する一方の走行輪８を、掃除機本体２の走行方向に見てコードリール装置５に対して回動軸線Ａ方向に少なくとも一部が重なるように配置することで、電気掃除機１の走行方向に交差する幅方向の寸法が電動送風機４とコードリール装置５との収容に必要な掃除機本体２のケース体３の幅以上に大きくならず、小型化が可能となる。
【００２７】
特に、上記一方の走行輪８は、掃除機本体２の走行方向に見て、コードリール装置５の回動軸線Ａ方向の幅内に全体が位置することで、この走行輪８が掃除機本体２のケース体３の側面部29から側方に突出せず、ケース体３の両側面部29間を掃除機本体２の最大幅とすることができ、小型化が可能となる。
【００２８】
また、上記一方の走行輪８をコードリール装置５の回動軸線Ａ方向に見てコードリール装置５に対して少なくとも一部が重なるように配置することで、この走行輪８がコードリール装置５に対して、走行方向に近接するため、走行方向の長さを抑制でき、小型化が可能となる。
【００２９】
さらに、上記一方の走行輪８の配置にあたり、コードリール装置５のリール本体部16と突出部17との段差により生じる空間部Ｓを利用することで、この走行輪８を掃除機本体２の走行方向に見てコードリール装置５に対して回動軸線Ａ方向に少なくとも一部が重なるように、かつ、コードリール装置５の回動軸線Ａ方向に見てコードリール装置５に対して少なくとも一部が重なるように、容易に配置できる。
【００３０】
また、各走行輪８を曲面部27よりも外側の位置で掃除機本体２に支持するようにすることで、各走行輪８を支持する軸受部38を含んで曲面部27を形成する場合と比較し、掃除機本体２のケース体３を大きくする必要がなく、小型化が可能となる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１    電気掃除機
２    掃除機本体
５    コードリール装置
８    走行輪
15    電源コード
16    リール本体部
17    突出部
27    曲面部
Ａ    回動軸線
Ｓ    空間部
【図１】
2020044294.tif 000003
【図２】
2020044294.tif 000004
【図３】
2020044294.tif 000005